(57)【要約】【課題】遊技機として必要な通路形成部材を有効に利用することにより、特別な部材を必要としないで、発光により遊技の興趣をより一層高めることのできる遊技機を簡単な構成によって提供すること。【解決手段】遊技盤１０と、この遊技盤１０の裏面に設けられて、球通し１１からの遊技球を球通路２６を介して下流側に案内する通路形成部材２０と、を備え、この通路形成部材２０の、少なくとも球通し１１の裏面に位置する部分を透明または半透明の透明部２０ａとするとともに、発光体を含む電気部品からの光を、各透明部２０ａを通して遊技盤１０の前面からの視認が可能となるようにしたこと。【選択図】図８
2009254546.tif 000002
【特許請求の範囲】
【請求項１】
遊技球が流下する遊技領域を前面に有するとともに、前記遊技球を裏面側に案内する球通しを有する遊技盤と、この遊技盤の裏面に設けられて、前記球通しからの遊技球を球通路を介して下流側に案内する通路形成部材と、を備え、この通路形成部材の、少なくとも前記球通しの裏面に位置する部分を透明または半透明の透明部とするとともに、発光体を含む電気部品からの光を、前記各透明部を通して前記遊技盤の前面からの視認が可能となるようにしたことを特徴とする遊技機。
【請求項２】
前記球通しの前面側に、前記発光体からの光を乱照射させる乱照射部材を設けたことを特徴とする請求項１に記載の遊技機。
【請求項３】
遊技球が流下する遊技領域を前面に有するとともに、前記遊技球を裏面側に案内する球通しを有する遊技盤と、この遊技盤の裏面に設けられて、前記球通しからの遊技球を球通路を介して下流側に案内する通路形成部材と、を備え、この通路形成部材の裏面側を覆い部材によって覆うとともに、この覆い部材及び前記通路形成部材の、少なくとも前記球通しの裏面に位置する部分を透明または半透明の透明部とし、発光体を含む電気部品からの光を、前記各透明部を通して前記遊技盤の前面からの視認が可能となるようにしたことを特徴とする遊技機。
【請求項４】
前記球通しの前面側に、前記発光体からの光を乱照射させる乱照射部材を設けたことを特徴とする請求項３に記載の遊技機。
【請求項５】
前記覆い部材の前記通路形成部材に対する取り付けを、前記通路形成部材の前面側から挿入される第１固定部材によって行うとともに、前記通路形成部材の前記遊技盤に対する取り付けを、前記通路形成部材の裏面側から挿入される第２固定部材によって行うようにしたことを特徴とする請求項３または請求項４に記載の遊技機。
【発明の詳細な説明】
【技術分野】
【０００１】
本発明は遊技機に関し、特に、遊技盤と、この遊技盤の裏面に設けられて、入賞球やアウト球を島内に排出するために、下流側に案内する「集合板」とも呼ばれる通路形成部材とを備えた遊技機に関するものである。
【背景技術】
【０００２】
遊技盤を有する遊技機においては、この遊技盤の前面に遊技球が流下する遊技領域が形成されているものであり、この遊技領域中には、遊技球の入賞口や始動口が設けてあり、一方、遊技領域の下方には、上記入賞口や始動口に入らなかった、所謂アウト球を、遊技盤の裏面側である島内に排出するためのアウト口が設けてある。
【０００３】
つまり、これらの始動口、入賞口あるいはアウト口からの遊技球は、上記遊技盤の裏面側において、集計や排出を行い易くする目的で、一般には「集合板」と呼ばれる通路形成部材によって一箇所に集められながら、島内に排出されるようになっているのである。
【０００４】
従来の集合板は、文字通り遊技球を効率的に、下流側に案内するために必要なものではあるが、これを遊技機の装飾のために利用されることは、当該集合板が遊技者からは見えない遊技盤の裏面に設けられていることから、殆ど無かった。
【０００５】
一方、この種の遊技機では、その遊技内容による遊技の面白さを向上させる努力がなされてきているものであるが、近年では、遊技領域内やその周囲において、動いたり、光ったりするものを積極的に取り入れることにより、遊技の面白さをさらに向上させることがなされてきている。特に、光による面白さの改良あるいは向上は、電気的制御がし易いＬＥＤ（発光ダイオード）が大きく発展している近年においては、動くものを採用するよりも容易であること、あるいは動くものと同時に採用し易いことから、例えば特許文献１にも示されているように、盛んに改良が加えられているものである。
【特許文献１】特開２００３−１９０５５３号公報
【発明の開示】
【発明が解決しようとする課題】
【０００６】
そこで、本発明者等は、今まで、遊技機の装飾を行う部材として全く利用されて来なかった集合板と呼ばれる通路形成部材を有効に利用しながら、発光を利用した遊技の興趣を高めるようにするにはどうしたらよいか、について種々検討を重ねてきた結果、本発明を完成したのである。
【０００７】
すなわち、本発明の目的とするところは、遊技機として必要な通路形成部材を有効に利用することにより、特別な部材を必要としないで、発光により遊技の興趣をより一層高めることのできる遊技機を簡単な構成によって提供することにある。
【課題を解決するための手段】
【０００８】
以上の課題を解決するために、まず、請求項１に係る発明の採った手段は、
「遊技球が流下する遊技領域を前面に有するとともに、前記遊技球を裏面側に案内する球通しを有する遊技盤と、この遊技盤の裏面に設けられて、前記球通しからの遊技球を球通路を介して下流側に案内する通路形成部材と、を備え、この通路形成部材の、少なくとも前記球通しの裏面に位置する部分を透明または半透明の透明部とするとともに、発光体を含む電気部品からの光を、前記各透明部を通して前記遊技盤の前面からの視認が可能となるようにしたことを特徴とする遊技機」
である。
【０００９】
すなわち、この請求項１に係る遊技機は、遊技球が流下する遊技領域を前面に有するとともに、前記遊技球を裏面側に案内する球通しを有する遊技盤を備えたものである。勿論、この遊技機では、遊技球が上記遊技領域を流下する際に、この遊技領域の前面側に設けた入賞口や始動口から球通し内に入って遊技盤の裏面側に案内され、これらの入賞口や球通しに入らなかった遊技球は、アウト口から同じく球通しを通して遊技盤の裏面側に案内されるようになっている。そのために、この遊技盤は、その各球通し、入賞口あるいはアウト口に応じた位置に、各遊技球を裏面側に案内する球通しを有しているのである。
【００１０】
また、この遊技盤の裏面には、前記球通しからの遊技球を球通路を介して下流側に案内する通路形成部材が設けてある。この通路形成部材の各球通路は、その上端側が上述した各球通しに向けて開口していて、その下端側は一箇所で纏まったものであり、その結果、この通路形成部材は、遊技盤の各球通しから流れてきた遊技球を遊技盤の裏面側の一箇所で島内に排出するものとなっているのである。
【００１１】
そして、本発明に係る遊技機では、この通路形成部材を透明または半透明のものとしてあるから、少なくとも前記球通しの裏面に位置する部分が透明または半透明の透明部となっているとともに、この通路形成部材または近傍に、ＬＥＤ等の発光体を含む電気部品が搭載してある。勿論、発光体であるＬＥＤは、通路形成部材に直接搭載したり、通路形成部材の近傍に配置したりしてあるのであるが、このＬＥＤは、遊技球の通過を邪魔しないようにするために、球通路内に搭載したり設置したりされることはない。
【００１２】
ここで、このＬＥＤ等の発光体が発光すると、その光の一部は、透明または半透明な通路形成部材を通して各球通路内に入り、この球通路を通して球通しから遊技盤の前面側に照射されることになる。また、発光体からの光の他の一部は、透明または半透明である通路形成部材自体内を透過及び反射しながら遊技盤の球通し内に入り、この球通しから前面に照射される。この場合、通路形成部材の全体または一部に着色を施しておけば、発光体が白色発光するものであっても、各球通しから前面側に照射される光は着色されたものとなる。
【００１３】
勿論、通路形成部材は透明または半透明のものであるし、特に、複数の球通路を有して複雑な形状のものである場合には、ＬＥＤ等の発光体を各球通しの真後ろに搭載または配置しなくても、この発光体からの光の少なくとも一部は、通路形成部材内あるいは通路形成部材が有している各面で屈折や反射を繰り返しながら、最終的には各球通しから遊技盤の前面に照射されるのである。
【００１４】
つまり、ＬＥＤ等の発光体を含む電気部品が光を発すれば、この光は、球通路が１本の場合は勿論、複数ある場合であっても、前記各透明部を通して前記遊技盤の前面側に照射されることになり、前記遊技盤の前面側からの視認が可能となるのである。
【００１５】
従って、この請求項１の遊技機は、遊技機として必要な通路形成部材を光の通路として有効に利用していることになり、特別な部材を必要としないでも、ＬＥＤ等の発光体からの光を遊技盤の前面に照射することができて、この光の遊技盤前面側からの視認が可能となるのであり、結果として遊技の興趣をより一層高めることができるものとなっているのである。
【００１６】
また、上記課題を解決するために、請求項２に係る発明の採った手段は、上記請求項１に記載の遊技機について、
「前記球通しの前面側に、前記発光体からの光を乱照射させる乱照射部材を設けたこと」
である。
【００１７】
すなわち、この請求項２の遊技機では、前記請求項１に係るそれにおける球通しの前面側に、前記発光体からの光を乱照射させる乱照射部材を設けたものである。ＬＥＤ等の発光体が発光したときには、その光が各球通しから照射されるのであるが、この光は、乱照射部材を通して遊技盤の前面側に照射される際に、乱照射される。
【００１８】
換言すれば、ＬＥＤ等の発光体が発光したときには、遊技盤の球通しの前面、つまり乱照射部材が存在している部分で光による演出がなされる。このとき、乱照射部材全体が指向性がない状態で光るため、この乱照射部材が当該遊技機の正面に座っている遊技者だけでなく、隣の遊技機で遊技している人にも、また周囲にいる人にも見えるのであるから、光による演出効果が非常に高く、この遊技機による遊技の興趣は非常に高いものとなるのである。
【００１９】
従って、この請求項２の遊技機は、上記請求項１のそれと同様な機能を発揮する他、乱照射部材における光の乱照射によって、非常に興趣の高いものとなっているのである。
【００２０】
上記課題を解決するために、請求項３に係る発明の採った手段は、
「遊技球が流下する遊技領域を前面に有するとともに、前記遊技球を裏面側に案内する球通しを有する遊技盤と、この遊技盤の裏面に設けられて、前記球通しからの遊技球を球通路を介して下流側に案内する通路形成部材と、を備え、この通路形成部材の裏面側を覆い部材によって覆うとともに、この覆い部材及び前記通路形成部材の、少なくとも前記球通しの裏面に位置する部分を透明または半透明の透明部とし、発光体を含む電気部品からの光を、前記各透明部を通して前記遊技盤の前面からの視認が可能となるようにしたことを特徴とする遊技機」
である。
【００２１】
すなわち、この請求項３の遊技機は、その基本構成を上記請求項１のそれと同様にするものではあるが、通路形成部材の裏面側を覆い部材によって覆うこと、この覆い部材及び前記通路形成部材を透明または半透明のものとすること、そして、ＬＥＤ等の発光体を含む電気部品を前記覆い部材に搭載することが、上記請求項１のそれと異なる点である。
【００２２】
この請求項３の遊技機では、通路形成部材の裏面側、つまり当該通路形成部材の遊技盤とは反対側になる面を、覆い部材によって覆ったのであるが、これにより、複数の球通路によって通路形成部材の裏面側に形成されている凹凸をこの覆い部材によって覆うことができるのである。
【００２３】
通路形成部材に形成されている各球通路は、遊技盤の球通しから落ち込んでくる遊技球を受け取って遊技盤の裏面下方に流すものであるし、当該通路形成部材は複数の球通路を一体化して遊技盤の裏面に直接取り付けられるものであるから、当該通路形成部材の裏面側には、少なくとも遊技球の直径程度の凹凸がどうしても存在することになる。ところが、この凹凸は、通路形成部材の裏面を覆っている覆い部材によって均されるから、実質的に存在しないものとなる。
【００２４】
換言すれば、通路形成部材の裏面側を覆い部材によって覆うことにより、通路形成部材に存在していた凹凸がなくなり、結果として、不正基板や不正電機部品を設置する場所が存在しなくなるのである。それだけでなく、この覆い部材の裏面側に、ＬＥＤ等の搭載場所を確保できることにもなるのである。
【００２５】
そして、この請求項３に係る遊技機では、この覆い部材及び通路形成部材を透明または半透明のものとして、この覆い部材及び前記通路形成部材の、少なくとも前記球通しの裏面に位置する部分を透明または半透明の透明部とするとともに、この覆い部材に、ＬＥＤ等の発光体を含む電気部品が搭載してある。このため、発光体であるＬＥＤを搭載するにあたっては、通路形成部材の各球通路に基づく凹凸の存在には全く無関係に覆い部材を設計することができるのであり、その搭載位置も自由に設計できるものである。何故なら、後述するように、発光体からの光を、透明または半透明な覆い部材及び通路形成部材の各透明部を通して、遊技盤の球通しから表面側に照射でき、結果として、ＬＥＤ等の発光体を含む電気部品からの光を、前記各透明部を通して前記遊技盤の前面からの視認が可能となるのである。
【００２６】
ここで、このＬＥＤ等の発光体が発光すると、その光の一部は、透明または半透明な通路形成部材及び覆い部材の各透明部を通して各球通路内に入り、この球通路を通して球通しから遊技盤の前面側に照射されることになる。また、発光体からの光の他の一部は、透明または半透明である通路形成部材及び覆い部材自体内を透過及び反射しながら遊技盤の球通し内に入り、この球通しから前面に照射される。この場合、通路形成部材または覆い部材の全体または一部に着色を施しておけば、発光体が白色発光するものであっても、各球通しから前面側に照射される光は着色されたものとなる。
【００２７】
勿論、覆い部材は透明または半透明なものであるため透明部を有しているから、透明部またはその近傍に搭載した電機部品からの光は、覆い部材が覆っている通路形成部材内に無駄なく照射される。そして、通路形成部材は透明または半透明の透明部を有するものであるし、球通路を有しているから複雑な形状のものであるから、ＬＥＤ等の発光体を各球通しの真後ろに搭載または配置しなくても、この発光体からの光の少なくとも一部は、通路形成部材内あるいは通路形成部材が有している各面で屈折や反射を繰り返しながら、最終的には各球通しから遊技盤の前面に照射されるのである。
【００２８】
つまり、前記覆い部材に搭載したＬＥＤ等の発光体を含む電気部品が光を発すれば、この光は、前記各透明部を通して前記遊技盤の前面側に照射されることになり、前記遊技盤の前面側からの視認が可能となるのである。
【００２９】
従って、この請求項３の遊技機は、遊技機として必要な通路形成部材を光の通路として有効に利用していることになり、通路形成部材を覆い部材によって覆うという簡単な手段で、ＬＥＤ等の発光体からの光を遊技盤の前面に照射することができて、この光の遊技盤前面側からの視認が可能となるのであり、結果として、遊技の興趣をより一層高めることができるものとなっているのである。
【００３０】
また、請求項４に係る発明の採った手段は、上記請求項３に記載の遊技機について、
「前記球通しの前面側に、前記発光体からの光を乱照射させる乱照射部材を設けたこと」
である。
【００３１】
すなわち、この請求項４の遊技機では、前記請求項３に係るそれにおける球通しの前面側に、前記発光体からの光を乱照射させる乱照射部材を設けたものである。ＬＥＤ等の発光体が発光したときには、その光が各球通しから照射されるのであるが、この光は、乱照射部材を通して遊技盤の前面側に照射される際に、乱照射される。
【００３２】
換言すれば、ＬＥＤ等の発光体が発光したときには、遊技盤の球通しの前面、つまり乱照射部材が存在している部分で光による演出がなされる。このとき、乱照射部材全体が指向性がない状態で光るため、この乱照射部材が当該遊技機の正面に座っている遊技者だけでなく、隣の遊技機で遊技している人にも、また周囲にいる人にも見えるのであるから、光による演出効果が非常に高く、この遊技機による遊技の興趣は非常に高いものとなることは、請求項２の場合と同様である。
【００３３】
従って、この請求項４の遊技機は、上記請求項３のそれと同様な機能を発揮する他、乱照射部材における光の乱照射によって、非常に興趣の高いものとなっているのである。
【００３４】
さらに、請求項５に係る発明の採った手段は、上記請求項３または請求項４に記載の遊技機について、
「前記覆い部材の前記通路形成部材に対する取り付けを、前記通路形成部材の前面側から挿入される第１固定部材によって行うとともに、前記通路形成部材の前記遊技盤に対する取り付けを、前記通路形成部材の裏面側から挿入される第２固定部材によって行うようにしたこと」
である。
【００３５】
すなわち、この請求項５の遊技機では、前記覆い部材の前記通路形成部材に対する取り付けを、前記通路形成部材の前面側から挿入される第１固定部材によって行っておき、その後に、前記通路形成部材の前記遊技盤に対する取り付けを、前記通路形成部材の裏面側から挿入される第２固定部材によって行うようにしたものである。
【００３６】
換言すれば、これらの通路形成部材及び覆い部材を遊技盤に取り付けたときには、覆い部材を通路形成部材に取り付けた第１固定部材の操作頭部は、通路形成部材によって覆われ、この通路形成部材と遊技盤との間に隠された状態になるから、覆い部材を通路形成部材から外そうとしても、通路形成部材自体を遊技盤から外さない限りできないことになるのである。
【００３７】
この結果、不正基板や不正部品を通路形成部材に取り付けようとしても、この通路形成部材を覆っている覆い部材によって阻まれるのであり、覆い部材を外そうとしてしても簡単にはいかず、覆い部材を外すために通路形成部材を外そうとすれば相当な時間が掛かることになる。このため、当該遊技機を不正改造しようとしても、殆ど不可能に近く、不正が行いにくくなっているのである。
【００３８】
従って、この請求項５の遊技機は、上記請求項３または４のそれと同様な機能を発揮する他、不正が行いにくいものとなっているのである。
【発明の効果】
【００３９】
以上、詳述した通り、本発明においては、
「遊技球が流下する遊技領域を前面に有するとともに、前記遊技球を裏面側に案内する球通しを有する遊技盤と、この遊技盤の裏面に設けられて、前記球通しからの遊技球を球通路を介して下流側に案内する通路形成部材と、を備え、この通路形成部材の、少なくとも前記球通しの裏面に位置する部分を透明または半透明の透明部とするとともに、発光体を含む電気部品からの光を、前記各透明部を通して前記遊技盤の前面からの視認が可能となるようにしたこと」
あるいは、
「遊技球が流下する遊技領域を前面に有するとともに、前記遊技球を裏面側に案内する球通しを有する遊技盤と、この遊技盤の裏面に設けられて、前記球通しからの遊技球を球通路を介して下流側に案内する通路形成部材と、を備え、この通路形成部材の裏面側を覆い部材によって覆うとともに、この覆い部材及び前記通路形成部材の、少なくとも前記球通しの裏面に位置する部分を透明または半透明の透明部とし、発光体を含む電気部品からの光を、前記各透明部を通して前記遊技盤の前面からの視認が可能となるようにしたこと」
にその構成上の特徴があり、これにより、遊技機として必要な通路形成部材を有効に利用することにより、特別な部材を必要としないで、発光により遊技の興趣をより一層高めることのできる遊技機を簡単な構成によって提供することができるのである。
【発明を実施するための最良の形態】
【００４０】
以上のように構成した各請求項に係る発明を、図面に示した最良の形態である遊技機に基づいて説明する。
【００４１】
図１及び図２には、本最良形態に係る遊技機で採用される遊技盤１０の正面図が示してある。この遊技盤１０の表面側のほぼ全域には、図１に示したように、遊技球が流下する遊技領域１０ａが形成してあり、この遊技領域１０ａの中央には、後述するシャッタ装置３０の各シャッタ３１によって開閉される開口１２が形成してある。
【００４２】
また、この遊技盤１０の中央下部には、遊技領域１０ａを流下してきた遊技球が入賞し得る始動口１３や入賞口等が設けてあり、これらの始動口１３や入賞口等に入らなかった遊技球は、当該遊技盤１０の最下端に形成してあるアウト口１４内に入るようにしてある。これら各始動口１３、やアウト口１４内に入った遊技球は、当該遊技盤１０に形成してある球通し１１から、通路形成部材である後述する集合板２０内へ転動するようにしてある。
【００４３】
遊技盤１０に形成してある各球通し１１は、機種に応じて、その位置、形状、及び数が種々変更されるものであるが、本最良形態では、図１中の点線、及び図８〜図１３に示したような、位置、形状、及び数のものである。これらの球通し１１は、図１２及び図１３に示したように、遊技盤１０の表裏に貫通しているものであり、これら各球通し１１の表面側の一部のものには、図１及び図２に示したように、上述した始動口１３やアウト口１４を設けたり、乱照射部材１５を設けたりしてある。
【００４４】
本最良形態の遊技盤１０の裏面側には、図３及び図５に示したように、当該遊技機の全体を制御する基板ボックス４０Ａを下部に設け、また中央部には、後述するシャッタ装置３０を制御するための基板ボックス４０Ｂを設けるようにしたものであり、これらの基板ボックス４０Ａ及び基板ボックス４０Ｂは、前述した通路形成部材である集合板２０、及びシャッタ装置３０のための取付板３２の裏面側に取り付けられているものである。
【００４５】
なお、図６〜図１５に示した開口１２は、当該遊技盤１０に直接形成したものを指していて、図１及び図２に示した開口１２とは少し異なっている。つまり、図１及び図２に示した開口１２は、シャッタ装置３０を取り付けた後の飾り枠によって囲まれた開口を示し、図６〜図１５に示した開口１２は、シャッタ装置３０を取り付ける前の言わば「生」の開口を示しているものである。従って、図６〜図１５の開口１２には、それを示す符号を（）で囲んで「生」であることを示した。
【００４６】
これらの球通し１１の裏面側には、図７〜図１３に示したように、上述した通路形成部材である集合板２０が直接取り付けられるのであるが、この集合板２０は、その基本的形状を平板とするものであって、例えば透明な合成樹脂を材料として一体的に成形することにより、少なくとも一部に透明部を有したものとしたものである。つまり、この集合板２０は、後述する覆い部材２０ａに搭載した電子部品からの光を、各透明部及び球通し１１を通して遊技盤１０の前面側に照射できるようにして、遊技盤１０の前面からの視認ができるようにしたものである。なお、この集合板２０の、各球通し１１に対向する部分のみを透明または半透明なものとするように実施してもよい。
【００４７】
この集合板２０の表面側、つまり遊技盤１０の裏面に対向する側の面には、図９、図１１〜図１３、及び図１４の（ｂ）に示したように、各球通し１１から転動してきた遊技球を一箇所に集めるための球通路２６が、当該集合板２０の基本構造である平板状態を維持しながら、各球通し１１の位置及び数に応じて形成してある。勿論、これら各球通路２６の上端は、始動口１３やアウト口１４に対向していて、各下端は、例えば球計数機などに向かうようにしてあり、最終的には島を構成している複数の遊技盤１０のための共通樋内に通じている。
【００４８】
なお、これらの球通路２６の一部については、図１２に示したように、その途中に収納部２６ａが形成してあり、この収納部２６ａは、当該集合板２０の裏面側に向けて開口している。この収納部２６ａ内には図示しない遊技球検知スイッチが嵌め込まれるのであり、この遊技球検知スイッチは、当該球通路２６内を通過した遊技球を検知して基板ボックス４０Ａ等にその通過信号を送信するものである。
【００４９】
また、この集合板２０の裏面側には、図４及び図１２に示したように、複数の第１筒部２１が形成してある。この第１筒部２１は、図４に示したように、後述する覆い部材２０ａ側の第２筒部２２内に収納または嵌合されることになるものであり、内部に第１固定部材５１の頭部を係止するための頸部を有したものである。この図４に示した第１筒部２１は、覆い部材２０ａ側の第２筒部２２内に収納または嵌合されるものであるが、これとは逆に覆い部材２０ａ側の第２筒部２２を収納または嵌合するようなものであってもよい。
【００５０】
さらに、この集合板２０の裏面側には、図５〜図１４に示したように、その平板部から遊技盤１０とは反対側に突出する突出部２０ｂが一体成形してある。この突出部２０ｂは、後述する基板ボックス４０Ａの取付板４１を取り付けるものであり、当該基板ボックス４０Ａを集合板２０から当該突出部２０ｂの高さ分だけ浮かした状態で、回動可能に取り付けるものである。つまり、この突出部２０ｂは、当該集合板２０及び次に述べる覆い部材２０ａの厚さ分の空間を作りながら、取付板４１を集合板２０に対して回動可能に取り付けることを可能にするものであって、結果的に、集合板２０及び覆い部材２０ａを遊技盤１０の裏面側に固定したまま、取付板４１とともに基板ボックス４０Ａを開閉可能に支持することになるものである。
【００５１】
なお、この突出部２０ｂにおける基板ボックス４０Ａの取り付けは、図７〜図１４に示したように、金属製のヒンジ２３を介してなされる。このヒンジ２３は、その枢着部分を裏面側に向かうようにしながら突出部２０ｂ内に挿入され、この突出部２０ｂから裏面側に突出したヒンジ２３の枢着部分に、取付板４１が、例えば図１０〜図１３に示したように取り付けられるのである。この場合、本実施例では、取付板４１と基板ボックス４０Ａとをベース部材４５によって連結するとともに、このベース部材４５に連結金具４６を連結して、この連結金具４６を上記ヒンジ２３の枢着部分に枢着することにより、達成するようにしている。
【００５２】
さて、本最良形態に係る遊技機では、上述した集合板２０の裏面側に、図１５に示したように、集合板２０と同じような透明または半透明材料からなり、その基本形態を平板状のものとした覆い部材２０ａを一体化するようにしていて、この覆い部材２０ａもその少なくとも一部に透明部を有したものとしてある。この覆い部材２０ａは、図１２及び図１３に示したように、上述した集合板２０の裏面側に一体的に取り付けられるものであるが、この取り付けは、図４に示したようにしてなされる。
【００５３】
すなわち、この覆い部材２０ａの裏面側には、図１３、及び図１５の（ｂ）に示したように、集合板２０側の各第１筒部２１に対向する位置に、各第２筒部２２が平板部分から突出するように形成してあり、これら各第２筒部２２内には第１固定部材５１を固定するためのネジ込み部２２ａが形成してあるから、これらの第２筒部２２及び前述した第１筒部２１が互いに二重壁を構成するように覆い部材２０ａを集合板２０に嵌め込んで、各第１筒部２１及び第２筒部２２の位置で第１固定部材５１を、集合板２０の前面側からネジ込み部２２ａにネジ込んで、当該覆い部材２０ａの集合板２０に対する一体化を行うのである。
【００５４】
なお、本実施例の第２筒部２２では、その前端が集合板２０の平板部の裏面側に当接する高さのものとしてあって、集合板２０の平板部から裏面側に突出する各球通路２６の高さと同じにしてある。このため、この覆い部材２０ａは、これを集合板２０に取り付けたとき、その平板部が各球通路２６に当接して、上記第１筒部２１と第２筒部２２との嵌合部における第１固定部材５１による連結ともあいまって、集合板２０に対して完全に平行状態で固定される。
【００５５】
さて、この覆い部材２０ａの裏面側には、図７、図１２、図１４及び図１５の各（ａ）に示したように、基板収納部２４が複数形成してある。各基板収納部２４は、文字通り基板やＬＥＤ等の電子部品を収納する部分であり、前述した遊技盤１０側の球通し１１にも対向する部分に形成されているものである。このため、この基板収納部２４内に収納した基板が有するＬＥＤ等の電子部品が機能したときには、このＬＥＤからの光が、当該覆い部材２０ａ、その表面側の集合板２０、そして各球通し１１を通して、遊技盤１０の表面側からの視認が十分可能となるのである。
【００５６】
なお、本実施例の各基板収納部２４については、その一部を基板止め２５によって覆うようにしている。この基板止め２５は、基板収納部２４内に電子部品や基板を収納した後に、当該基板収納部２４の近傍に位置する覆い部材２０ａの裏面側に取り付けるものであり、これいよって、一旦収納した基板や電子部品を外れないようにするものである。また、図１４の（ａ）に示したように、当該覆い部材２０ａの裏面側には開口２４ａが設けてあり、この開口２４ａから、上記集合板２０側の収納部２６ａが臨むようになっている。換言すれば、この開口２４ａからは、当該覆い部材２０ａを集合板２０に一体化した後に、遊技球検知スイッチを収納部２６ａ内に収納することができるものである。
【００５７】
さて、本最良形態の遊技機においては、図１〜図３、及び図５に示したように、シャッタ装置３０を採用しているものであった。このシャッタ装置３０は、図１及び図２にも示したように、上下に開閉する２枚のシャッタ３１を有しているものであり、その裏面側の基板ボックス４０Ｂの制御によって、開閉されるものである。この開閉されるシャッタ３１は、図５に示した案内レール３４によって案内される。
【００５８】
このようなシャッタ装置３０も、当然、遊技盤１０の裏面側に取り付けなければならないが、そのために、当該シャッタ装置３０は、遊技盤１０の裏面側に取り付けられる取付板３２と、この取付板３２の裏面側に取り付けられる枠体３３を有しているのである。
【００５９】
取付板３２は、前述した集合板２０と同様に、遊技盤１０の裏面側に直接取り付けられるものである。また、枠体３３は、取付板３２に当該シャッタ装置３０を取り付けるために使用されるもので、取付板３２の裏面側に取り付けられるものである。
【００６０】
取付板３２については、図示はしていないが、集合板２０における第１筒部２１と同様な筒部が形成されるものであり、枠体３３についても、覆い部材２０ａにおける第２筒部２２と同様な筒部が形成される。そして、枠体３３の取付板３２に対する取り付けは、取付板３２の前面側から固定操作される第１固定部材５１等によって行われ、取付板３２の遊技盤１０に対する取り付けは、取付板３２の裏面側から固定操作される第２固定部材５２等によって行われ、かつ各筒部が互いに嵌合される状態でなされる。なお、このシャッタ装置３０用の基板ボックス４０Ｂについても、上記基板ボックス４０Ａにおいて使用されたベース部材４５や連結金具４６が採用されることもある。
【図面の簡単な説明】
【００６１】
【図１】本発明に係る遊技機を構成している遊技盤を示すもので、シャッタ装置のシャッタが閉じた状態の正面である。
【図２】同遊技機を構成している遊技盤を示すもので、シャッタ装置のシャッタが開いた状態の正面である。
【図３】同遊技盤の背面図である。
【図４】同遊技盤の裏面側に取り付けられた集合板と覆い部材との関係を第１固定部材を中心にして見た部分拡大縦断面図である。
【図５】同遊技盤を背面からみた斜視図である。
【図６】同遊技盤の裏面に基板ボックスだけを取り付けた状態を示すもので、（ａ）は左側からみた斜視図、（ｂ）は右側からみた斜視図、（ｃ）は遊技盤の背面図である。
【図７】図６に示した状態から、基板ボックス及び取付板を取り外した様子を示す遊技盤の裏面側拡大分解斜視図である。
【図８】図７に示した状態から、さらに集合板及び覆い部材も取り外した状態の遊技盤の裏面側分解斜視図である。
【図９】図８に示したものを前面側からみた分解斜視図である。
【図１０】図８の状態からさらに取付板を開放した状態を示す分解斜視図である。
【図１１】図１０に示したものを前面側からみた分解斜視図である。
【図１２】遊技盤の裏面側の取り付けられた各部品の殆どを分解して示した斜視図である。
【図１３】図１２に示したものを前面側からみた分解斜視図である。
【図１４】遊技盤に覆い部材を取り付けたものを示すもので、（ａ）は裏面側からみた斜視図、（ｂ）は前面側からみた斜視図である。
【図１５】遊技盤に取り付けた覆い部材を示すもので、（ａ）は裏面側からみた斜視図、（ｂ）は前面側からみた斜視図である。
【符号の説明】
【００６２】
１０    遊技盤
１０ａ  遊技領域
１１    球通し
１２    開口
１３    始動口
１４    アウト口
１５    乱照射部材
２０    通路形成部材（集合板）
２０ａ  覆い部材（透明部）
２０ｂ  突出部
２１    第１筒部
２２    第２筒部
２２ａ  ネジ込み部
２３    ヒンジ
２４    基板収納部
２５    基板止め
２６    球通路
２６ａ  収納部
３０    シャッタ装置
３１    シャッタ
３２    取付板
３３    枠体
４０Ａ  基板ボックス
４０Ｂ  基板ボックス
４１    取付板
４２    ストッパ
４５    ベース部材
４６    連結金具
５１    第１固定部材
５２    第２固定部材
【図１】
2009254546.tif 000003
【図２】
2009254546.tif 000004
【図３】
2009254546.tif 000005
【図４】
2009254546.tif 000006
【図５】
2009254546.tif 000007
【図６】
2009254546.tif 000008
【図７】
2009254546.tif 000009
【図８】
2009254546.tif 000010
【図９】
2009254546.tif 000011
【図１０】
2009254546.tif 000012
【図１１】
2009254546.tif 000013
【図１２】
2009254546.tif 000014
【図１３】
2009254546.tif 000015
【図１４】
2009254546.tif 000016
【図１５】
2009254546.tif 000017